(57)【要約】【課題】人体に対して直接的な電気的影響を及ぼすことなく人体の接触状態を確認することができる電子体温計を提供する。【解決手段】温度を検出するための温度センサを有する測温部３ａを備える内部中空のプローブ３と、前記プローブ３の中空内部に配置される光源７と、前記プローブ３において前記測温部３ａが使用者の被測定部位に接触した状態にあるときに前記測温部３ａとともに使用者の身体の一部に接触する領域内において、前記光源７が発する光を前記プローブ３の外部に透過可能に設けられる窓部３ｂと、を備えることを特徴とする。【選択図】図２
2009222677.tif 000002
【特許請求の範囲】
【請求項１】
温度を検出するための温度センサを有する測温部を備える内部中空のプローブと、
前記プローブの中空内部に配置される光源と、
前記プローブにおいて前記測温部が使用者の被測定部位に接触した状態にあるときに前記測温部とともに使用者の身体の一部に接触する領域内において、前記光源が発する光を前記プローブの外部に透過可能に設けられる窓部と、
を備えることを特徴とする電子体温計。
【請求項２】
前記プローブの中空内部に配置される受光部と、
前記受光部が受光する光量の変化に基づいて、前記測温部が使用者の被測定部位に適切に接触しているか否かを判定する判定部と、
を備えることを特徴とする請求項１に記載の電子体温計。
【請求項３】
前記測温部が使用者の被測定部位に適切に接触していないと前記判定部が判定した場合に警報を鳴らす報知手段を備えることを特徴とする請求項２に記載の電子体温計。
【請求項４】
前記判定部は、前記光量の変化と前記温度センサによって検出された温度の変化とに基づいて、前記測温部が使用者の被測定部位に適切に接触しているか否かを判定することを特徴とする請求項２または３に記載の電子体温計。
【請求項５】
前記使用者の体温を予測する電子体温計であることを特徴とする請求項１から４のいずれかに記載の電子体温計。
【請求項６】
前記測温部は、前記プローブの先端に設けられ、
前記窓部は、前記測温部の近傍となる前記プローブの先端側に設けられ、
前記光源は、前記窓部を透過した光が体温計本体側に漏れ易くなるような角度で光を発することを特徴とする請求項１から５のいずれかに記載の電子体温計。
【発明の詳細な説明】
【技術分野】
【０００１】
本発明は、電子体温計に関するものである。
【背景技術】
【０００２】
従来、温度センサに人体が接触しているか否かを検知することにより体温を正しく測ることが可能な電子体温計が知られている。
【０００３】
この種の電子体温計として、例えば、特許文献１には、人体の接触を検知する方法として、スイッチ、接触抵抗、静電容量、湿度、圧力（接点）、温度比較、温度変化などを利用した電子体温計が記載されている。
【０００４】
しかしながら、プローブ接触時に被計測部位がスイッチを押しているか否かで接触状態を検知する方法や、被計測部位の押圧力によるプローブの変形によって２つの接点が接触することで接触状態を検知する方法の場合には、人体以外あるいは人体の被計測部位以外の部位が接触や押圧することにより誤検知を生じる場合がある。
【０００５】
また、プローブ表面に露出した２つの接点に被計測部位が同時に接触し、２つの接点が被計測部位を介して導通することで接触状態を検出する方法や、コンデンサの電極や誘電体として機能するプローブ表面の部位に被計測部位が接触してコンデンサの静電容量が変化することにより接触状態を検出する方法の場合には、プローブの表面に露出した金属部分に人体を接触させるため、人体に直接電気が流れることになり、漏洩電流等により人体に悪影響を及ぼすおそれがある。また、電極をプローブ表面に設けているため静電気対策が困難となり、静電気によるＣＰＵ等の内部部品の破壊が懸念される。
【特許文献１】特表昭６１−５０００３８号公報
【発明の開示】
【発明が解決しようとする課題】
【０００６】
本発明は上記の従来技術の課題を解決するためになされたもので、その目的とするところは、人体に対して直接的な電気的影響を及ぼすことなく人体の接触状態を確認することができる電子体温計を提供することにある。
【課題を解決するための手段】
【０００７】
上記目的を達成するために、本発明における電子体温計は、
温度を検出するための温度センサを有する測温部を備える内部中空のプローブと、
前記プローブの中空内部に配置される光源と、
前記プローブにおいて前記測温部が使用者の被測定部位に接触した状態にあるときに前記測温部とともに使用者の身体の一部に接触する領域内において、前記光源が発する光を前記プローブの外部に透過可能に設けられる窓部と、
を備えることを特徴とする。
【０００８】
この構成によれば、プローブが使用者の腋下等に挟まれるなどして測温部が被測定部位に接触しているときには、窓部を透過する光は、窓部の外側を覆う使用者の身体の一部に反射してプローブ外部へ漏れることがない。一方、プローブが使用者の腋下等に挟まれていないときや挟まれ方が不十分なときには、窓部を透過する光がプローブ外部に漏れることになる。したがって、プローブの中空内部に配置された光源が発する光がプローブの外部に漏れたか否か、あるいは、漏れ量の程度に基づいて、プローブの測温部が使用者の被測定部位に適切に接触しているか否かを視認することができる。
【０００９】
この構成によれば、従来のように、電極等の金属部分がプローブ表面に露出したり人体に直接接触することがないので、人体に対して電気的な影響を与えたり、静電気を発生させることが抑制される。
【００１０】
ここで、測温部が使用者の被測定部位に適切に接触している場合とは、例えば、測温部が腋下の一番くぼんだ部分にしっかりと当てられた状態でプローブ全体が腋下にしっかりと密着して挟み込まれている場合や、測温部が舌下にしっかりと当てられた状態でプローブ全体が舌と下顎との間でしっかりと保持されている場合などが挙げられる。
【００１１】
ここで、光源としては、発光ダイオード（ＬＥＤ）等の発光素子を用いることができ、光源が発する光の種類としては、人体に対する吸収率が低く反射率が高い、指向性を有する可視光であると好適である。また、受光部としては、フォトダイオード、フォトトランジスタ、フォトＩＣ、Ｃｄｓセル、Ｃｄｓｅセル、ＰｂＳセル、光電管、光電子倍増管等の受光素子を用いることができる。
【００１２】
前記プローブの中空内部に配置される受光部と、
前記受光部が受光する光量の変化に基づいて、前記測温部が使用者の被測定部位に適切に接触しているか否かを判定する判定部と、
を備えるとよい。
【００１３】
これにより、プローブが使用者の腋下等に挟まれるなどして測温部が被測定部位に接触しているときには、窓部を透過する光が、窓部の外側を覆う使用者の身体の一部に反射してプローブ中空内部に戻ることになり、プローブ中空内部に配置された受光部が受光する光量が増大することになる。一方、プローブが使用者の腋下等に挟まれていないときや挟み方が不十分なときには、発光部が発する光が窓部を透過してプローブ外部に漏れることにより、プローブ中空内部に配置された受光部が受光する光量が減少することになる。したがって、受光部が受光する光量の変化に基づいて、プローブの測温部が使用者の被測定部位に適切に接触しているか否かを判定することができる。すなわち、視認によらなくても接触状態の良否を知ることが可能となり、視認だけでは測温部と被測定部位との接触状態の良否の判断が困難な場合でも好適に接触状態の良否を知ることができる。
【００１４】
前記測温部が使用者の被測定部位に適切に接触していないと前記判定部が判定した場合に警報を鳴らす報知手段を備えると好適である。
【００１５】
これにより、測温部が使用者の被測定部位に適切に接触していないことを使用者に知らせて、使用者が適切な接触状態に戻すのを促すことができる。したがって、より正確な体温測定を図ることができる。
【００１６】
前記判定部は、前記光量の変化と前記温度センサによって検出された温度の変化とに基づいて、前記測温部が使用者の被測定部位に適切に接触しているか否かを判定すると好適である。
【００１７】
これにより、実際には測温部が使用者の被測定部位に適切に接触していないにもかかわらず、光量の変化が、測温部が適切に接触していると判定できる基準を満たしてしまった場合でも、温度の変化が、測温部が適切に接触していると判定できる基準を満たしていなければ、測温部が適切に接触していないと判定することができる。したがって、測温部の接触状態の誤検出を抑制することができ、体温測定の精度の向上を図ることができる。
【００１８】
前記使用者の体温を予測する電子体温計であると好適である。
【００１９】
これによれば、体温の予測をプローブの測温部が被測定部位に適切に接触した状態になってから開始することができ、より正確な体温予測が可能となる。
【００２０】
前記測温部は、前記プローブの先端に設けられ、
前記窓部は、前記測温部の近傍となる前記プローブの先端側に設けられ、
前記光源は、前記窓部を透過した光が体温計本体側に漏れ易くなるような角度で光を発すると好適である。
【００２１】
これによれば、幼児や子供のように成人と比べて身体の大きさが小さい者が使用する場合でも好適に接触状態の検出が可能となり、使用者の身体条件の影響を少なくすることができる。また、通常の装着状態では、外部に露出した状態となる体温計本体側に光を漏れ易くすることで、光による接触状態の視認性が向上される。
【発明の効果】
【００２２】
以上説明したように、本発明により、人体に対して直接的な電気的影響を及ぼすことなく人体の接触状態を確認することができる。
【発明を実施するための最良の形態】
【００２３】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００２４】
＜電子体温計の基本構成＞
まず、図１を参照して、以下で説明する本発明の各実施例に係る電子体温計の共通する基本構成について説明する。図１は、本発明の実施例に係る電子体温計全体の概略構成を示す図であって、（ａ）は電子体温計の平面図であり、（ｂ）は（ａ）のＡＡ断面図であり、（ｃ）は（ｂ）のＢＢ断面図である。なお、図１では、以下の各実施例において説明する人体接触感知センサについては図示を省略している。
【００２５】
図１に示すように、電子体温計１は、表示部やスイッチなどを備えた体温計本体２と、腋下や舌下などの被測定部位に挟み込まれるなどして接触するエラストマーやＡＢＳ樹脂等からなるプローブ３と、を有している。体温計本体２は、表示窓やスイッチなどが設けられたＡＢＳ樹脂等からなるハウジングと、ハウジングの内部に収容される内部部品４（回路基板、電源、ＬＣＤ等の表示パネル、ブザーなど）とから構成される。プローブ３は、略直方体の体温計本体２の長手方向端部から長手方向に延びる内部中空の先細りの棒状部材であり、その先端に測温部３ａを備えている。
【００２６】
ハウジングは、上ハウジング２１と下ハウジング２２とから構成され、プローブ３の基端部を上ハウジング２１と下ハウジング２２と間に挟持固定するとともに、プローブ３が固定された側とは反対側に電池等の電源を交換するためのバッテリカバー２３が着脱可能に取り付けられる。
【００２７】
プローブ３先端の測温部３ａは、ステンレス材（ＳＵＳ）等からなるキャップ５と、キャップ５の内部に接着剤により埋設固定されるサーミスタ等の温度センサ６と、から構成される。温度センサ６は、内部部品４からプローブ３の中空内部を通って延びるリード線４１を介して、内部部品４内のＣＲ発振回路に電気的に接続されている。温度センサ６は測温部３ａ（キャップ５）の外表面から伝達される熱に対応して抵抗値を変化させ、この抵抗値の変化がＣＲ発振回路に出力されることにより体温測定が行われる。
【００２８】
なお、以上説明した構成は、以下で説明する各実施例において共通する構成であり、以下の各実施例に関する説明ではかかる構成についての説明を省略する。また、ここで示した構成は一例であり、これに限定するものではない。例えば、プローブと体温計本体のハウジングとが一体となっているような構成であってもよい。
【００２９】
（実施例１）
図２〜図６を参照して、本発明の実施例１に係る電子体温計１ａについて説明する。図２は、本実施例に係る電子体温計１ａの特徴部分を示す模式図であって、（ａ）は電子体温計１ａの斜視図であり、（ｂ）はプローブ部分の縦断面図である。図３は、プローブ部分の模式的縦断面図であって、（ａ）は窓部の外側が人体によって覆われていない状態における光源から発せられた光の様子、（ｂ）は窓部の外側が人体によって覆われている状態における光源から発せられた光の様子をそれぞれ示している。図４は、横軸を時間（ｓ）、縦軸を光量出力（Ｖ）とし、測温部３ａが被測定部位に適切に接触した場合の光量の変化の様子を示すグラフである。図５は、電子体温計の電気的構成を示す概略ブロック図である。図６は、本実施例に係る電子体温計の体温測定のフローチャートである。
【００３０】
＜人体接触感知センサ＞
図２（ｂ）に示すように、本実施例に係る電子体温計１ａは、プローブ３の中空内部に人体接触感知センサとしての光源７と受光部８が配置されている。ここで、図２では、温度センサ６に接続されたリード線４１や内部部品４についての図示を省略している。
【００３１】
光源７は、発光ダイオード（ＬＥＤ）等の発光素子であり、光源７が発する光の種類としては、人体に対する吸収率が低く反射率が高い、指向性を有する可視光であることが好ましい。受光部８は、フォトダイオード、フォトトランジスタ、フォトＩＣ、Ｃｄｓセル、Ｃｄｓｅセル、ＰｂＳセル、光電管、光電子倍増管等の受光素子である。
【００３２】
光源７と受光部８は、それぞれリード線４２、４３を介して内部部品４の回路基板に接続されており、人体がプローブ３に接触しているか否かを感知するための光センサとして機能する。
【００３３】
体温測定は、測温部３ａと、プローブ３における測温部３ａ近傍の領域が、人体の被測定部位に挟持されるなどして接触した状態で行われる。このとき、通常、使用者はプローブ３先端の測温部３ａだけでなくその近傍の領域も挟持して電子体温計１ａ全体を支えた状態で体温測定を行う。
【００３４】
本実施例に係る電子体温計１ａにおいては、体温測定時に測温部３ａが使用者の被測定部位に接触した状態にあるときに、プローブ３において測温部３ａとともに使用者の身体の一部が接触する領域内に窓部３ｂが設けられている。窓部３ｂは、光源７が発する光を透過可能なポリプロピレン（ＰＰ）等のプラスチック材料からなる透明な部材である。
【００３５】
光源７は、窓部３ｂに向けて投光するとともに、光が窓部３ｂの外側を覆う人体の一部に反射するときに入射光路と反射光路とが重ならないように、すなわち、反射した光が再び光源７に向かってこないように配置される。受光部８は、光源７からの光が窓部３ｂの外側を覆う人体の一部に反射したときに、プローブ３の中空内部を反射して進む反射光の光路上に位置するように配置される。なお、光源７と受光部８の配置は、これに限られるものではなく、受光部８による光源７からの光の光量の検出に支障がない範囲であれば他の配置構成としてもよい。
【００３６】
また、プローブ３の中空内部において光源７及び受光部８が配置される領域は、隔壁３
ｃ、３ｄによって仕切られており、例えば、受光部８が体温計本体２側に設けられたＬＣＤ等の光の影響を受けないようにされている。なお、受光部８の検出精度等に影響がないのであれば、隔壁３ｃ、３ｄは設けなくてもよい。
【００３７】
また、受光部８によるプローブ３の中空内部を反射する光の検出精度を向上させるため、プローブ３の中空内部の光源７及び受光部８が配置される領域における内壁面は、表面に鏡面処理を施すか、あるいは白樹脂等の反射性に優れた材料を使用するなどにより、光の反射率を上げるようにするとよい。
【００３８】
図３（ａ）に示すように、プローブ３が使用者の腋下等に挟まれていないときや挟まれ方が不十分なときには、光源７からの光は、その大部分がプローブ３の中空内部から窓部３ｂを通過して外部に漏れることになる。
【００３９】
一方、図３（ｂ）に示すように、プローブ３が使用者の腋下等に挟まれるなどして測温部３ａが被測定部位に接触するとともに窓部３ｂの外側が使用者の身体の一部によって覆われているときは、窓部３ｂを透過する光は、その大部分が使用者の身体の一部に反射してプローブ３の中空内部に戻ることになる。したがって、光源７からの光は、プローブ３外部へ漏れないか、あるいは漏れたとしてもその量は非常に小さいものとなる。
【００４０】
したがって、使用者は、プローブ３の中空内部に配置された光源７が発する光がプローブ３の外部に漏れたか否か、あるいは、その光の漏れ量の程度を確認することにより、プローブ３の測温部３ａが使用者の被測定部位に適切に接触しているか否かを判断することができる。
【００４１】
また、図３（ａ）に示すように、プローブ３が使用者の腋下等に挟まれていないときや挟まれ方が不十分なときには、光源７からの光の大部分は、プローブ３の中空内部から窓部３ｂを通過して外部に漏れるため、受光部８が受光する光源７からの光の量は、ほとんどないかあるいは非常に小さいものとなる。
【００４２】
一方、図３（ｂ）に示すように、窓部３ｂの外側が使用者の身体の一部によって覆われているときは、窓部３ｂを透過する光の大部分は、使用者の身体の一部に反射してプローブ３の中空内部に戻り、その多くが受光部８に受光されることになる。したがって、受光部８が受光する光源７からの光の量は、図３（ａ）の場合と比べて非常に大きいものとなる。
【００４３】
したがって、受光部８が受光する光量の変化に基づいて、プローブ３の測温部３ａが使用者の被測定部位に適切に接触しているか否かを判定することができる。
【００４４】
ここで、受光部８が受光する光量の変化について、図４を参照してその具体例を説明する。ただし、これはあくまで一例であって、これに限定されるものではない。図４に示すように、受光部８が光源７から受光する光量に基づいて出力される光量出力は、窓部３ｂが使用者の身体によって覆われていないとき（Ｔ０）には、０．１Ｖ程度であるのに対し、窓部３ｂが使用者の身体によって覆われて光源７からの光の大部分がプローブ３の中空内部に反射して戻ったとき（Ｔｔ）には、１．５Ｖとなっている。なお、図中のＭは、プローブが腋下に挟み込まれた瞬間を表している。したがって、例えば、光量の増加量が１．３〜１．４Ｖを超えるか否か基準として、測温部３ａが被測定部位に適切に接触しているか否かを判定することができる。
【００４５】
＜電子体温計の電気的構成＞
図５に示すように、電子体温計１ａは、主として、温度センサ６と、光源７と、受光部
８と、電源部１１と、ＬＣＤ１２と、ブザー１３と、ＣＰＵ（中央処理装置）１４と、メモリ１５と、ＣＲ発振回路１６と、増幅部１７と、を備えている。
【００４６】
電源部１１は、電池等の電源を有し、ＣＰＵ１４に電力を供給する。ＬＣＤ１２は、表示部として、ＣＰＵ１４からの制御により測定結果等を表示する。ブザー１３は、使用者に対する報知手段として、ＣＰＵ１４からの制御により警報を鳴らす。また、ＣＰＵ１４には、ＲＯＭやＲＡＭ等の記憶装置からなるメモリ１５が接続されている。
【００４７】
ＣＲ発振回路１６は、温度センサ６が出力する抵抗値の変化を周波数に変換してＣＰＵ１４に入力する。増幅部１７は、光源７から受光した光量に基づいて受光部８が出力する電圧又は電流信号を増幅し、Ａ／Ｄ変換してＣＰＵ１４に入力する。
【００４８】
ＣＰＵ１４は、増幅部１７から出力された光量の変化を計測して、測温部３ａが被測定部位に適切に接触しているか否かを判定する。
【００４９】
＜体温測定フロー＞
図６を参照して、本実施例に係る電子体温計１ａにおける体温測定のフローについて説明する。なお、ここでは本実施例の電子体温計１ａが予測式の場合を例にとって説明する。
【００５０】
本実施例に係る電子体温計１ａは、電源がオンになると（Ｓ１０１）、ＣＰＵ１４は、温度センサ６による温度の検出を開始するとともに（Ｓ１０２）、光源７による発光及び受光部８が受光した光量Ｌの検出を開始する（Ｓ１０３）。電源投入直後に検出された光量Ｌ０はメモリ１５に記憶され、その後に検出される光量ＬがＬ０に対して所定値を超えて増加したか否かにより、ＣＰＵ１４は、測温部３ａが被測定部位に適切に接触したか否かを判定する（Ｓ１０４）。電源投入直後においては、電子体温計１がまだ腋下に挟まれていない状態であり、検出される光量Ｌに変化は生じないため、ＣＰＵ１４は、測温部３ａが被測定部位に適切に接触していないとして（Ｓ１０４、ＮＯ）、ブザー１３が警報を鳴らす（Ｓ１０５）。温度及び光量の検出は、検出された光量Ｌ（Ｖ）が、警報発生から一定時間内に電源投入直後の光量Ｌ０（Ｖ）に対して所定値を超えて増大するまで、すなわち、測温部３ａが被測定部位に適切に接触したと判定されるまで、繰り返される（Ｓ１０４、ＮＯ、Ｓ１０６、ＮＯ）。検出された値は随時メモリ１５に記憶される。
【００５１】
ここで、上述の所定値としては、例えば、１．４Ｖとすることができる。また、検出条件の一例としては、例えば、温度及び光量の検出は１秒間毎に行い、測温部３ａが被測定部位に適切に接触したか否かを判定する期間を１５秒間とすることができる。なお、これらの条件は一例であり、これに限定するものではない。
【００５２】
一定時間経過しても光量の増加量（Ｌ−Ｌ０）が所定値に満たない場合には（Ｓ１０６、ＹＥＳ）、ＣＰＵ１４は、測温部３ａが被測定部位に適切に接触した状態にないと判定して測定を中止し、エラー表示をＬＣＤ１２に表示する（Ｓ１０７）。一方、一定時間内に光量の増加量（Ｌ−Ｌ０）が所定値を超えた場合には（Ｓ１０４、ＹＥＳ）、ＣＰＵ１４は、測温部３ａが被測定部位に適切に接触したと判定して体温測定に移行し、予測測定を開始する（Ｓ１０８）。
【００５３】
予測測定開始直後において最初に検出された光量と電源投入直後の光量との差（Ｌ−Ｌ０）が所定値を下回っていなければ、ブザー１３は警報を中止し（Ｓ１１４）、ＣＰＵ１４は、予測完了条件が満たされるまで、引き続き受光部８が受光する光量の検出を継続する（Ｓ１１５、ＮＯ、Ｓ１０９、Ｓ１１０）。体温測定中に、例えば、測温部３ａの位置がずれるなどにより、検出された光量Ｌと電源投入直後の光量Ｌ０との差（Ｌ−Ｌ０）が
、前述の所定値を下回った場合には（Ｓ１１０、ＮＯ）、ＣＰＵ１４は、測温部３ａが被測定部位に対して適切に接触していないと判定し、ブザー１３が警報を鳴らす（Ｓ１１１）。警報は、検出された光量と電源投入直後の光量との差（Ｌ−Ｌ０）が、一定時間（例えば、１５秒）内に前述の所定値を超えるまで、すなわち、測温部３ａの位置のずれを修正するなどして測温部３ａが被測定部位に適切に接触していると判定されるまで、継続あるいは繰り返される（Ｓ１１０、ＮＯ、Ｓ１１１、Ｓ１１２、ＮＯ）。
【００５４】
測温部３ａの位置が修正されずに、警報発生から一定時間内に光量の差（Ｌ−Ｌ０）が所定値を超えなかった場合には（Ｓ１１２、ＹＥＳ）、ＣＰＵ１４は、測定を中止してエラー表示をＬＣＤ１２に表示する（Ｓ１１３）。一方、測温部３ａの位置が修正されて、一定時間内に光量の差（Ｌ−Ｌ０）が所定値を超えた場合には（Ｓ１１２、ＮＯ、Ｓ１１０、ＹＥＳ）、ブザー１３は警報を中止して（Ｓ１１４）、ＣＰＵ１４は予測完了条件が満たされるまで体温及び光量の検出を継続する（Ｓ１１５、ＮＯ）。使用者に対する報知手段としては、ブザーだけでなく、例えば、ＬＥＤ点灯、ブザー鳴動、音声ＩＣ、振動、におい等であってもよい。
【００５５】
警報が鳴らされずに光量の差（Ｌ−Ｌ０）が所定値よりも大きな値で維持されている間は（Ｓ１１０、ＹＥＳ）、ＣＰＵ１４は、適切な接触状態が維持されていると判定し、Ｓ１１４をスキップして予測完了条件が満たされるまで体温及び光量の検出を継続する（Ｓ１１５、ＮＯ）。
【００５６】
予測完了条件が満たされると（Ｓ１１５、ＹＥＳ）、ＣＰＵ１４は測定を終了し、予測値を算出して測定結果をＬＣＤ１２に表示する（Ｓ１１６）。
【００５７】
＜本実施例の優れた点＞
本実施例によれば、従来のように、電極等の金属部分がプローブ表面に露出したり人体に直接接触することがないので、人体に対して電気的な影響を与えたり、静電気を発生させることが抑制される。
【００５８】
また、本実施例によれば、光に漏れの有無あるいはその程度を視認することにより、測温部と被測定部位との接触状態の良否を視覚的に容易に知ることができる。また、光に漏れ具合の変化を見ながら電子体温計の挟み具合を変えることにより、適正な装着状態への位置調整をスムーズに行うことができる。したがって、電子体温計の装着性の向上を図ることができる。
【００５９】
また、本実施例によれば、光源と受光部からなる光センサを併用することにより、視認だけでは測温部と被測定部位との接触状態の良否の判断が困難な場合でも好適に接触状態の良否を知ることができる。
【００６０】
すなわち、例えば、使用者が衣服を着た状態で体温測定する際には、衣服によって光に漏れを確認することが困難となる場合が生じうるが、そのような場合には、光センサで検出される光量の変化に基づいて接触状態の良否を判定し、不良な場合には警報等の報知手段によって使用者に報知することにより、使用者は接触状態の不良を知ることができる。したがって、視認によらなくても接触状態の良否を知ることができる。
【００６１】
また、本実施例によれば、測定開始時における測温部と被測定部位の接触状態だけでなく、測定中の接触状態を検出することにより、被測定部位と測温部との接触状態を常時監視することができ、体温測定の精度の向上を図ることができる。したがって、本実施例は、予測式体温計において特に好適に用いることができる。すなわち、予測式体温計は、短時間に温度を測定することができる代わりに、被測定部位が測温部にしっかり接触してい
ないと予測結果の精度が低下する場合がある。しかし、本実施例によれば、測温部が被測定部位に適切に接触してから予測を開始することにより、より正確な体温の予測が可能となる。
【００６２】
（変形例）
次に、図７及び図８を参照して、実施例１の変形例に係る電子体温計１ｂについて説明する。図７は、変形例に係る電子体温計１ｂの特徴部分を示す模式図であって、（ａ）は電子体温計１ｂの斜視図であり、（ｂ）は電子体温計１ｂの平面図であり、（ｃ）は（ｂ）のＣＣ断面図である。図８は、電子体温計１ｂの模式的縦断面図であって、（ａ）は窓部の外側が人体によって覆われている状態における光源から発せられた光の様子、（ｂ）は窓部の外側が人体によって覆われていない状態における光源から発せられた光の様子をそれぞれ示している。ここでは、実施例１と異なる点についてのみ説明し、共通する部材や構成については同様の符号を付して説明を省略する。また、共通する部材や構成によって生じる作用や効果等についても同様である。
【００６３】
本変形例では、窓部３ｂ´、光源７´及び受光部８´の配置が上記実施例１とは異なったものとなっている。
【００６４】
具体的には、図７に示すように、窓部３ｂ´がプローブ３の測温部３ａ近傍（先端側）に設けられている。また、光源７´は、窓部３ｂ´を透過した光が体温計本体２側（プローブ３の先端側から離れる方向）に漏れやすくなるような角度で光を窓部３ｂ´に向かって照射するように配置されている。受光部８´は、窓部３ｂ´を覆う人体の一部に反射してプローブ３の中空内部に戻る反射光の光路上に位置するように体温計本体２側に配置されている。
【００６５】
この構成によれば、測温部３ａ近傍における人体の接触状態を検出することができ、接触状態の検知精度の向上を図ることができる。例えば、幼児や子供のように成人と比べて身体の大きさが小さい者が使用するような場合には、プローブ３の先端側しか接触していない状態であっても測温部３ａが被測定部位に接触した適切な装着状態となる場合がありうる。そのような場合、測温部３ａから窓部３ｂまでの距離によっては、適正な接触状態にもかかわらず光の漏れを生じ、接触状態が適正でないと誤って判定してしまうことが考えられる。したがって、窓部３ｂ´を測温部３ａの近傍に配置することにより、使用者の身体条件の影響を少なくして、人体とプローブ３との接触状態を好適に検出することができる。
【００６６】
また、窓部３ａ´を透過した光が体温計本体２側に漏れ易くすることで、視認による光の漏れの有無や程度の確認がし易くなる。すなわち、電子体温計１ｂの通常の適正な装着状態においては、プローブ３側は使用者の腋下に挟まれる等により使用者の身体に隠れた状態になる一方、体温計本体２側は外部に露出した状態になる。したがって、僅かな隙間でも漏れた光が体温計本体２側に進み易くすることで、光による接触状態の視認性が向上される。
【００６７】
（実施例２）
次に、図９〜図１２を参照して、本発明の実施例２に係る電子体温計について説明する。図９は、温度センサ６の反応が小さいときの光量の時間変化と温度の時間変化の関係を示すグラフである。図１０は、光センサ（光源７及び受光部８）の反応が小さいときの光量の時間変化と温度の時間変化の関係を示すグラフである。図１１は、温度センナ６及び光センサの反応が小さいときの光量の時間変化と温度の時間変化の関係を示すグラフである。図１２は、本実施例に係る電子体温計における体温測定のフローチャートである。
【００６８】
例えば、プローブ３を握った手や指が窓部３ｂを覆ってしまったような場合や、電子体温計１を深く挟みこみすぎてプローブ３の先端の測温部３ａが腋下からはみ出してしまったような場合には、測温部３ａが被測定部位に適切に接触した場合と同じように、受光部８が受光する光量が増加してしまう場合がある。一方、測温部３ａは被測定部位に接触していないため、温度センサ６によって検出される温度は殆んど上昇することはない。このような場合に、光量の変化量にのみ基づいて接触状態の良否を判定した場合には、被測定部位が測温部３ａに適切に接触していないにもかかわらず、適切に接触していると誤って判定してしまい、したがって、体温測定の結果も正確なものとならなくなってしまう。
【００６９】
そこで、本実施例に係る電子体温計においては、受光部８が受光する光量の変化に加えて、温度センサ６によって検出された温度の変化に基づいて、測温部３ａが被測定部位に適切に接触したか否かを判定するようにした。
【００７０】
具体的には、測温部３ａに被測定部位が適切に接触すると、受光部８が受光する光量が増大するとともに、温度センサ６によって検出される温度も上昇する。したがって、光量の変化量が所定の基準値、つまり、測温部３ａが被測定部位に適切に接触したと判定される基準値を超えるとともに、このときに計測された温度変化が、測温部３ａが被測定部位に適切に接触したと判定される所定の条件を満たした場合に初めて、測温部３ａが被測定部位に適切に接触したと判定するようにした。
【００７１】
したがって、例えば、図９に示すように、光量の変化量は被測定部位が測温部３ａに適切に接触したときと同じ変化量であるが、温度の上昇が殆んどないような場合、例えば、上述したように、プローブ３を握った手や指が窓部３ｂを覆ってしまったような場合や、プローブ３の先端の測温部３ａが腋下からはみ出してしまったような場合には、測温部３ａが被測定部位に適切に接触していないと判定する。
【００７２】
また、図１０に示すように、温度の上昇は条件を満たしているが、光量の変化量が条件を満たしていないような場合、例えば、測温部３ａは被測定部位に接触しているが、腋下に挟まれているのはプローブ３の先端側のみで、電子体温計の装着状態が不安定な場合にも、測温部３ａが被測定部位に適切に接触していないと判定する。
【００７３】
また、図１１に示すように、温度の上昇及び光量の変化量のいずれも条件を満たしていない場合、例えば、測温部３ａが被測定部位に適切に接触していないとともに、プローブ３の挟まれ方も適切でないような場合にも、測温部３ａが被測定部位に適切に接触していないと判定する。
【００７４】
次に、図１２を参照して本実施例に係る電子体温計における体温測定のフローについて説明する。なお、ここでは本実施例の電子体温計が予測式の場合を例にとって説明する。また、実施例１において説明した体温測定フロー（図６）と共通するステップについては、同じ番号を付してその説明を省略する。以下、図６における体温測定フローと異なる点についてのみ説明する。
【００７５】
図６に示すように、上記各実施例においては、体温測定開始前における測温部３ａの接触状態の判定（図６のＳ１０４）、及び、体温測定中における測温部３ａの接触状態の判定（図６のＳ１１０）を、光量の変化のみに基づいて判定していた。一方、本実施例では、図１２に示すように、光量の変化に加え、温度センサ６によって検出された温度の変化に基づいて、測温部３ａの接触状態を判定するようにした（Ｓ２０４、Ｓ２１０）。
【００７６】
具体的には、検出された光量の値Ｌと電源投入直後の光量の値Ｌ０との差（Ｌ−Ｌ０）が所定値（例えば、１．４Ｖ）を超え、なおかつ、計測される温度変化ΔＴが所定値を超
えている場合、すなわち、測定される温度の上昇率（図９〜図１１における温度変化の傾き）が、測温部３ａが被測定部位に適切に接触していると判定できる基準の上昇率を超えて上昇している場合には、測温部３ａが適切に接触していると判定するようにした（Ｓ２０４、Ｓ２１０）。なお、これらの条件は一例であり、これに限定するものではない。
【００７７】
これにより、実際には測温部３ａが被測定部位に適切に接触していないにもかかわらず、光量の変化量が、測温部３ａが適切に接触した場合と同じ値を示してしまったような場合でも、温度変化が、測温部３ａが適切に接触していると判定できる上昇率を示していなければ、測温部３ａが適切に接触していないと判定し、誤った判定をしてしまうことが防止される。同様に、温度変化が、測温部３ａが適切に接触していると判定できる上昇率を示していても、光量の変化量が、測温部３ａが適切に接触したと判定できる所定値を超えていなければ、測温部３ａが適切に接触していないと判定して、誤判定を防止することができる。
【００７８】
したがって、本実施例によれば、誤検出の発生を抑制することができ、体温測定の精度の向上を図ることができる。
【図面の簡単な説明】
【００７９】
【図１】電子体温計全体の概略構成を示す図である。
【図２】実施例１に係る電子体温計の特徴部分を示す模式図である。
【図３】プローブ部分の模式的縦断面図である。
【図４】測温部に被測定部位が適切に接触した場合の光量の変化の様子を示すグラフである。
【図５】電子体温計の電気的構成を示す概略ブロック図である。
【図６】電子体温計の体温測定のフローチャートである。
【図７】変形例に係る電子体温計の特徴部分を示す模式図である。
【図８】変形例に係る電子体温計の模式的縦断面図である。
【図９】温度センサの反応が小さいときの光量の時間変化と温度の時間変化の関係を示すグラフである。
【図１０】光センサ（光源及び受光部）の反応が小さいときの光量の時間変化と温度の時間変化の関係を示すグラフである。
【図１１】温度センナ及び光センサの反応が小さいときの光量の時間変化と温度の時間変化の関係を示すグラフである。
【図１２】実施例２に係る電子体温計の体温測定のフローチャートである。
【符号の説明】
【００８０】
１   電子体温計
２   体温計本体
３   プローブ
３ａ 測温部
４   内部部品
５   キャップ
６   温度センサ
７   光源
８   受光部
９   人体
１１ 電源部
１２ ＬＣＤ
１３ ブザー
１４ ＣＰＵ
１５ メモリ
１６ ＣＲ発振回路
１７ 増幅部
【図１】
2009222677.tif 000003
【図２】
2009222677.tif 000004
【図３】
2009222677.tif 000005
【図４】
2009222677.tif 000006
【図５】
2009222677.tif 000007
【図６】
2009222677.tif 000008
【図７】
2009222677.tif 000009
【図８】
2009222677.tif 000010
【図９】
2009222677.tif 000011
【図１０】
2009222677.tif 000012
【図１１】
2009222677.tif 000013
【図１２】
2009222677.tif 000014